(57)【要約】【課題】患者が、自分の都合の良いルート上にある調剤薬局を指定でき、また、患者が必要な薬の在庫を有する調剤薬局を検索することができる。【解決手段】本発明の調剤薬局情報提供装置は、地図情報を記憶している地図情報記憶手段と、調剤薬局情報ごとの調剤薬局の位置情報と、医薬品在庫情報を記憶する調剤薬局情報記憶手段と、上記携帯端末から、処方箋情報と上記患者の現在地情報および目的地情報とを受信する処方箋情報受信手段と、上記地図情報記憶手段を参照し、上記現在地および目的地間のルート検索を行うルート検索手段と、上記ルート上に位置する調剤薬局を特定する調剤薬局特定手段と、上記処方箋情報に係る処方箋を在庫として有する調剤薬局を特定する情報処理手段と、上記携帯端末に対し、上記情報処理手段によって特定された調剤薬局を、上記地図上にルートと共に示した処理結果を上記携帯端末に送信する処理結果送信手段と、を有する。【選択図】図２
2013003996.tif 000002
【特許請求の範囲】
【請求項１】
処方箋を受け取る患者が利用し、現在地取得手段を有する携帯端末と、ネットワークを介して通信可能に構成され、
上記患者に対し、処方箋によって処方される医薬品の在庫を有する調剤薬局に係る情報を提供する装置であって、
地図情報を記憶している地図情報記憶手段と、
調剤薬局情報ごとの調剤薬局の位置情報と、医薬品在庫情報を記憶する調剤薬局情報記憶手段と、
上記携帯端末から、処方箋情報と上記患者の現在地情報および目的地情報とを受信する処方箋情報受信手段と、
上記地図情報記憶手段を参照し、上記現在地および目的地間のルート検索を行うルート検索手段と、
上記ルート上に位置する調剤薬局を特定する調剤薬局特定手段と、
上記処方箋情報に基づき、上記調剤薬局情報記憶手段を参照して、上記特定した調剤薬局情報に係る調剤薬局のうち、上記処方箋情報に係る処方箋を在庫として有する調剤薬局を特定する情報処理手段と、
上記携帯端末に対し、上記情報処理手段によって特定された調剤薬局を、上記地図上にルートと共に示した処理結果を上記携帯端末に送信する処理結果送信手段と、を有する、
ことを特徴とする調剤薬局情報提供装置。
【請求項２】
上記処方箋情報に基づき、医薬品情報記憶手段から処方された医薬品に係る医薬品情報を抽出する医薬品情報抽出手段を更に有し、
上記処理結果送信手段は更に、上記医薬品情報を併せて上記携帯端末に送信する、
ことを特徴とする請求項１に記載の調剤薬局情報提供装置。
【請求項３】
医薬品を提供する調剤薬局が利用する調剤薬局端末と更に、ネットワークを介して通信可能に構成され、
上記調剤薬局端末から上記医薬品在庫情報を受信する医薬品在庫情報受信手段と、
上記受信した医薬品在庫情報を上記調剤薬局情報記憶手段に登録し、上記医薬品在庫情報を更新する医薬品在庫情報更新手段とを、更に有する、
ことを特徴とする請求項１又は２に記載の調剤薬局情報提供装置。  
【請求項４】
上記ルート検索手段は更に、複数のルートを検索し、
上記調剤薬局特定手段は、各ルート毎に調剤薬局を特定し、
上記携帯端末に対し、上記情報処理手段によってルート毎に特定された調剤薬局を、上記地図上に上記複数のルートと共に示した処理結果を上記携帯端末に送信する、
ことを特徴とする請求項１乃至３いずれかの項に記載の調剤薬局情報提供装置。
【請求項５】
処方箋を受け取る患者が利用し、現在地取得手段を有する携帯端末と、ネットワークを介して通信可能に構成され、
上記患者に対し、処方箋によって処方される医薬品の在庫を有する調剤薬局に係る情報を提供する方法であって、
地図情報を記憶している地図情報記憶手段と、
調剤薬局情報ごとの調剤薬局の位置情報と、医薬品在庫情報を記憶する調剤薬局情報記憶手段と、を有するコンピュータにより、
上記携帯端末から、処方箋情報と上記患者の現在地情報および目的地情報とを受信する処方箋情報受信処理と、
上記地図情報記憶処理を参照し、上記現在地および目的地間のルート検索を行うルート検索処理と、
上記ルート上に位置する調剤薬局を特定する調剤薬局特定処理と、
上記処方箋情報に基づき、上記調剤薬局情報記憶手段を参照して、上記特定した調剤薬局情報に係る調剤薬局のうち、上記処方箋情報に係る処方箋を在庫として有する調剤薬局を特定する情報処理と、
上記携帯端末に対し、上記情報処理手段によって特定された調剤薬局を、上記地図上にルートと共に示した処理結果を上記携帯端末に送信する処理結果送信処理と、を実行する、
ことを特徴とする調剤薬局情報提供方法。
【請求項６】
処方箋を受け取る患者が利用し、現在地取得手段を有する携帯端末と、ネットワークを介して通信可能に構成され、
上記患者に対し、処方箋によって処方される医薬品の在庫を有する調剤薬局に係る情報を提供する調剤薬局情報提供装置として機能させるためのコンピュータプログラムであって、上記コンピュータに対し、
地図情報を記憶している地図情報記憶手段と、
調剤薬局情報ごとの調剤薬局の位置情報と、医薬品在庫情報を記憶する調剤薬局情報記憶手段と、
上記携帯端末から、処方箋情報と上記患者の現在地情報および目的地情報とを受信する処方箋情報受信処理と、
上記地図情報記憶手段を参照し、上記現在地および目的地間のルート検索を行うルート検索処理と、
上記ルート上に位置する調剤薬局を特定する調剤薬局特定処理と、
上記処方箋情報に基づき、上記調剤薬局情報記憶処理を参照して、上記特定した調剤薬局情報に係る調剤薬局のうち、上記処方箋情報に係る処方箋を在庫として有する調剤薬局を特定する情報処理と、
上記携帯端末に対し、上記情報処理手段によって特定された調剤薬局を、上記地図上にルートと共に示した処理結果を上記携帯端末に送信する処理結果送信処理と、を実行させる、調剤薬局情報提供コンピュータプログラム。
【発明の詳細な説明】
【技術分野】
【０００１】
本発明は、処方箋の発行を受けた患者に対して、調剤薬局に関する情報を提供する技術に関する。
【背景技術】
【０００２】
病院にて処方箋を発行された患者は、通常、病院もしくは自宅の近所にある調剤薬局にて薬を得る。
しかしながら、訪れた調剤薬局に必ずしも処方箋に記載された薬の在庫があるとは限らない。患者は、最寄りの調剤薬局に訪れたのにも関わらず、必要な薬を受け取ることが出来ないこともあった。
【０００３】
このような状況の下、特許文献１及び特許文献２では、患者が有するカメラ付き携帯電話を活用し、処方箋をカメラ機能にて撮影し、この処方箋画像情報を予め調剤薬局に送信するシステムが提案されている。この発明によれば、事前に患者自身で指定した調剤薬局に対して、処方箋画像データを送信し、患者がその調剤薬局を訪れた時点で即座に薬を受け取ることができ、患者の待ち時間を軽減することが可能な発明が記載されている。
【先行技術文献】
【特許文献】
【０００４】
【特許文献１】特願２００９−１１５９３５
【特許文献２】特願２００３−３７４６７７
【発明の概要】
【発明が解決しようとする課題】
【０００５】
上記特許文献1のシステムでは、処方箋を患者が携帯カメラにて撮影しなければならず、カメラ機能を有さない携帯電話には対応していない。また、複数の調剤薬局から、患者に必要な薬の在庫を持つ調剤薬局を検索することもできない。
上記特許文献２のシステムでは、処方箋を患者が携帯カメラにて撮影しなければならず、カメラ機能を有さない携帯電話には対応していない。また、調剤薬局での待ち時間を軽減することが目的であり、複数の調剤薬局から、患者に必要な薬の在庫を持つ調剤薬局を検索することもできない。
【０００６】
そこで、本発明では、患者が、自分の都合の良いルート上にある調剤薬局を指定でき、また、患者が必要な薬の在庫を有する調剤薬局を検索することができることが目的である。
なお、ここでいう都合の良いルートとは、患者の現在地から、自宅や職場等の希望の目的地までの二地点間ルートのことを言う。
【課題を解決するための手段】
【０００７】
上記目的を達成するため、本発明の一の観点に係る調剤薬局情報提供装置は、処方箋を受け取る患者が利用し、現在地取得手段を有する携帯端末と、ネットワークを介して通信可能に構成され、上記患者に対し、処方箋によって処方される医薬品の在庫を有する調剤薬局に係る情報を提供する装置であって、地図情報を記憶している地図情報記憶手段と、
調剤薬局情報ごとの調剤薬局の位置情報と、医薬品在庫情報を記憶する調剤薬局情報記憶手段と、上記携帯端末から、処方箋情報と上記患者の現在地情報および目的地情報とを受信する処方箋情報受信手段と、上記地図情報記憶手段を参照し、上記現在地および目的地間のルート検索を行うルート検索手段と、上記ルート上に位置する調剤薬局を特定する調剤薬局特定手段と、上記処方箋情報に基づき、上記調剤薬局情報記憶手段を参照して、上記特定した調剤薬局情報に係る調剤薬局のうち、上記処方箋情報に係る処方箋を在庫として有する調剤薬局を特定する情報処理手段と、上記携帯端末に対し、上記情報処理手段によって特定された調剤薬局を、上記地図上にルートと共に示した処理結果を上記携帯端末に送信する処理結果送信手段と、を有するものとしてもよい。
【０００８】
また、上記処方箋情報に基づき、医薬品情報記憶手段から処方された医薬品に係る医薬品情報を抽出する医薬品情報抽出手段を更に有し、上記処理結果送信手段は更に、上記医薬品情報を併せて上記携帯端末に送信するものとしてもよい。
【０００９】
また、医薬品を提供する調剤薬局が利用する調剤薬局端末と更に、ネットワークを介して通信可能に構成され、上記調剤薬局端末から上記医薬品在庫情報を受信する医薬品在庫情報受信手段と、上記受信した医薬品在庫情報を上記調剤薬局情報記憶手段に登録し、上記医薬品在庫情報を更新する医薬品在庫情報更新手段とを、更に有するものとしてもよい。
【００１０】
また、上記ルート検索手段は更に、複数のルートを検索し、上記調剤薬局特定手段は、各ルート毎に調剤薬局を特定し、上記携帯端末に対し、上記情報処理手段によってルート毎に特定された調剤薬局を、上記地図上に上記複数のルートと共に示した処理結果を上記携帯端末に送信するものとしてもよい。
【００１１】
また、本発明の別の観点に係る調剤薬局情報提供方法は、処方箋を受け取る患者が利用し、現在地取得手段を有する携帯端末と、ネットワークを介して通信可能に構成され、上記患者に対し、処方箋によって処方される医薬品の在庫を有する調剤薬局に係る情報を提供する方法であって、地図情報を記憶している地図情報記憶手段と、調剤薬局情報ごとの調剤薬局の位置情報と、医薬品在庫情報を記憶する調剤薬局情報記憶手段と、を有するコンピュータにより、上記携帯端末から、処方箋情報と上記患者の現在地情報および目的地情報とを受信する処方箋情報受信処理と、上記地図情報記憶処理を参照し、上記現在地および目的地間のルート検索を行うルート検索処理と、上記ルート上に位置する調剤薬局を特定する調剤薬局特定処理と、上記処方箋情報に基づき、上記調剤薬局情報記憶手段を参照して、上記特定した調剤薬局情報に係る調剤薬局のうち、上記処方箋情報に係る処方箋を在庫として有する調剤薬局を特定する情報処理と、上記携帯端末に対し、上記情報処理手段によって特定された調剤薬局を、上記地図上にルートと共に示した処理結果を上記携帯端末に送信する処理結果送信処理と、を実行するものとしてもよい。
【００１２】
また、本発明の別の観点に係る調剤薬局情報提供コンピュータプログラムは、処方箋を受け取る患者が利用し、現在地取得手段を有する携帯端末と、ネットワークを介して通信可能に構成され、上記患者に対し、処方箋によって処方される医薬品の在庫を有する調剤薬局に係る情報を提供する調剤薬局情報提供装置として機能させるためのコンピュータプログラムであって、上記コンピュータに対し、地図情報を記憶している地図情報記憶手段と、調剤薬局情報ごとの調剤薬局の位置情報と、医薬品在庫情報を記憶する調剤薬局情報記憶手段と、上記携帯端末から、処方箋情報と上記患者の現在地情報および目的地情報とを受信する処方箋情報受信処理と、上記地図情報記憶手段を参照し、上記現在地および目的地間のルート検索を行うルート検索処理と、上記ルート上に位置する調剤薬局を特定する調剤薬局特定処理と、上記処方箋情報に基づき、上記調剤薬局情報記憶処理を参照して、上記特定した調剤薬局情報に係る調剤薬局のうち、上記処方箋情報に係る処方箋を在庫として有する調剤薬局を特定する情報処理と、上記携帯端末に対し、上記情報処理手段によって特定された調剤薬局を、上記地図上にルートと共に示した処理結果を上記携帯端末に送信する処理結果送信処理と、を実行させるものとしてもよい。
【発明の効果】
【００１３】
本発明によれば、患者は、処方箋に記された薬の在庫を有する調剤薬局を簡単に検索することができる。また、自分の希望するルート上にある調剤薬局を簡単に検索することができる。
【図面の簡単な説明】
【００１４】
【図１】本発明の実施形態に係る調剤薬局情報提供装置の概要を示す図である。
【図２】本発明の実施形態に係る調剤薬局情報提供装置の構成を示した機能ブロック図である。
【図３】本発明の実施形態に係る患者情報記憶部に記憶されるデータの一例を示した図である。
【図４】本発明の実施形態に係る調剤薬局情報記憶部に記憶されるデータの一例を示した図である。
【図５】本発明の実施形態に係る医薬品情報記憶部に記憶されるデータの一例を示した図である。
【図６】本発明の実施形態に係る調剤薬局情報提供装置において、患者が処方箋情報を送信し、処理結果を受信するまでの処理を示すシークエンス図である。
【図７】本発明の実施形態に係る調剤薬局情報提供装置において、調剤薬局が在庫情報を更新する処理を示すシークエンス図である。
【図８】携帯端末が、本発明の実施形態に係る調剤薬局情報提供装置から受信した処理結果を受信した携帯端末の表示画面を示す図である。
【発明を実施するための形態】
【００１５】
以下、本発明の実施形態に係る調剤薬局情報提供装置について、図を参照して説明する。
【００１６】
図１を参照し、本実施形態に係る調剤薬局情報提供装置１による処理の概要を説明する。
本実施形態に係る調剤薬局情報提供装置１は、予め、複数の調剤薬局が利用する調剤薬局端末２から、医薬品の在庫に係る情報を受信し、これを記憶している。
調剤薬局情報提供装置１は、患者が使用する携帯端末３から送信される処方箋情報を受信すると、各調剤薬局の在庫情報に基づき、携帯端末３に対して、処方箋情報に係る医薬品在庫を有する調剤薬局の情報を送信する。
【００１７】
図２に示されるように、本実施形態に係る調剤薬局情報提供装置１は、調剤薬局端末２及び携帯端末３とインターネットや移動体通信網等のネットワークＮＷを介して通信可能に構成されている。
【００１８】
調剤薬局情報提供装置１は、ＣＰＵ（Ｃｅｎｔｒａｌ  Ｐｒｏｃｅｓｓｉｎｇ  Ｕｎｉｔ）、ＣＰＵが実行するコンピュータプログラム、コンピュータプログラムや所定のデータを記憶するＲＡＭ（Ｒｅａｄ  Ｏｎｌｙ  Ｍｅｍｏｒｙ）などの内部メモリ、及びハードディスクドライブなどの外部記憶装置により、通信処理部１０１、患者情報記憶部１０２、地図情報記憶部１０３、ルート検索部１０４、調剤薬局特定部１０５、情報処理部１０６、調剤薬局情報記憶部１０７、医薬品情報抽出部１０８、医薬品情報記憶部１０９、医薬品在庫情報更新部１１０を構成する。なお、調剤薬局情報提供装置１は、キーボードやマウスなどの入力装置、ディスプレイなどの表示装置を有していても良い。
【００１９】
通信処理部１０１は、ネットワークＮＷを介して、調剤薬局端末２及び携帯端末３と所定のプロトコルに従ったデータの送受信処理を実行する処理部であって、Ｗｅｂブラウザなどによって実現される。具体的には、通信処理部１０１は、処方箋情報受信部、処理結果送信部、医薬品在庫情報受信部としての機能を果たす。
処方箋情報受信部は、患者が使用する携帯端末３から送信される処方箋情報、当該患者の現在地情報、および当該患者の目的地情報などを受信する。
なお、目的地情報とは、例えば、患者が希望する患者の自宅や職場が考えられる。
処理結果送信部は、ルート上に位置する調剤薬局のうち、処方箋情報に係る医薬品を在庫として有している調剤薬局に係る情報を、携帯端末３に送信する送信部である。
なお、ルートとは、患者の現在地から目的地までの二地点間を結ぶ道のりである。
医薬品在庫情報受信部は、調剤薬局端末２から、医薬品在庫情報を受信する受信部であり、調剤薬局での在庫状況を定期的に受信する。
【００２０】
患者情報記憶部１０２は、処方箋に係る情報など、患者に関する情報を記憶している。
ここで、図３を用いて、患者情報記憶部１０２を説明する。
【００２１】
患者情報記憶部１０２が記憶する患者情報としては、例えば、患者名、患者基本情報、保険情報、処方箋情報、検査歴、決済情報などが含まれる。
患者基本情報には、患者の住所、氏名、電話番号などの個人情報が含まれる。
処方箋情報とは、患者に発行された処方箋に係る情報をいう。
患者情報は、携帯端末３から送信される処方箋情報を記憶している。この処方箋情報が調剤薬局における在庫情報と照らし合わされることで、患者が処方された医薬品在庫を有する調剤薬局が検索される。
なお、患者基本情報は、それぞれの調剤薬局にてポイント発行サービスを行っている場合、ポイント情報を有してもよい。これにより、患者は、それぞれの調剤薬局を介さずとも、携帯端末３から、ポイント管理が可能となる。
なお、患者情報は、患者のこれまでの処方箋情報や検査歴を記憶するので、患者は、自分の処方された医薬品の履歴として（いわゆる、お薬手帳。）、本発明の調剤薬局情報提供装置１を使用することも可能となる。
なお、患者情報において、決済情報は、例えば、クレジットカード情報であり、予め登録しておくことにより、携帯端末３から調剤薬局情報提供装置１に処方箋情報を送信した際に、同時に、調剤薬局での支払いに代えて、クレジット決済を可能することができる。
【００２２】
地図情報記憶部１０３は、携帯端末３から送信された患者の位置情報を元に、患者の希望目的地までのルートを解析するための地図情報を記憶した機能部である。なお、患者の希望目的地とは、患者の自宅や職場が考えられる。
【００２３】
ルート検索部１０４は、地図情報記憶部１０３を参照し、患者が携帯端末３から送信する現在地情報および目的地情報に基づき、患者の現在地から目的地までのルートを検索する機能部である。
ルート検索の手法としては、例えば、最短距離検索、最短距離検索に準じ幹線沿いの道路を通るコース検索が考えられ、複数のルートを検索してもよい。
これにより、検索されたルートは、地図上に明示的に反映される。
【００２４】
調剤薬局特定部１０５は、ルート検索部１０４が検索したルート上に位置する調剤薬局を特定し、当該調剤薬局の調剤薬局情報を抽出する機能部である。
また、ルートが複数抽出された場合は、ルート毎に、ルート上に位置する調剤薬局の調剤薬局情報が抽出される。
【００２５】
情報処理部１０６は、携帯端末３から受信した処方箋情報に基づき、調剤薬局特定部１０５により検索したルート上に位置する調剤薬局のうち、後述する調剤薬局情報記憶部１０７を参照し、処方箋情報に係る医薬品を在庫として有している調剤薬局を特定する機能部である。
なお、詳しくは後述するが、在庫情報とは、調剤薬局が有する医薬品ごとの貯蔵数に係る情報のことである。
【００２６】
調剤薬局情報記憶部１０７は、在庫情報を含め、調剤薬局に関する情報を記憶している。
ここで、図４を用いて、調剤薬局情報記憶部１０７を説明する。
【００２７】
調剤薬局情報記憶部１０７は、例えば、調剤薬局に係る基本情報（位置情報・電話番号・薬剤師数）、評価情報、在庫情報、ジェネリック医薬品取扱いの有無などを記憶することができる。
【００２８】
調剤薬局の位置情報によって、患者の現在地から目的地までのルートに、いずれの調剤薬局が存在するかを把握することができる。
位置情報とは、地図上で所在地を特定可能な情報であって、地図上での座標情報を含む。
調剤薬局情報は、在庫情報を有することにより、患者は、処方された医薬品の在庫を有する調剤薬局を検索することができる。
在庫情報とは、調剤薬局が有する医薬品ごとの貯蔵数に係る情報のことである。
なお、在庫情報は、調剤薬局に医薬品を卸す卸売り業者が管理し、卸売り業者の端末から、これを調剤薬局情報提供装置１に送信してもよい。
なお、調剤薬局情報における、評価情報は、例えば、特徴、セールスポイント、口コミ情報が挙げられる。
なお、調剤薬局情報は、ジェネリック医薬品取扱いの有無に係る情報も有しており、ジェネリック医薬品での調剤処方を希望する患者に対して、より安価な医薬品購入を可能としている。
【００２９】
医薬品情報抽出部１０８は、患者に処方された医薬品に係る情報を、医薬品情報記憶部１０９から抽出する機能部である。
【００３０】
医薬品情報記憶部１０９は、医薬品に係る情報全般を記憶する機能部である。
ここで、図５を参照して、医薬品情報記憶部１０９を説明する。
【００３１】
医薬品情報記憶部１０９は、医薬品情報を記憶しており、具体的には、医薬品名、薬価、薬剤情報、服薬指導解説情報が挙げられる。
なお、服薬指導解説情報に関しては、各薬剤師毎に説明の内容に差が見られるが、予め医薬品情報４０１に登録しておくことにより、患者は、携帯端末３を介して、処方された医薬品に関して、いつでも一定の情報を得ることができる。
【００３２】
医薬品在庫情報更新部１１０は、通信処理部１０１にて調剤薬局端末２から受信した医薬品在庫情報を調剤薬局情報記憶部１０７に登録し、医薬品在庫情報を更新する機能部である。
調剤薬局端末２から受信する、医薬品在庫情報は、在庫の変化分でも在庫数量全体のどちらでもよい。
変化分の場合は、変化があった医薬品の在庫数量のみを更新し、全体の場合は、調剤薬局の医薬品の在庫数量全体を更新する。
【００３３】
調剤薬局端末２は、調剤薬局のユーザが利用する端末であって、例えば、この調剤薬局の局員、薬剤師などが調剤薬局端末２の操作者となる。図２では、ある１つの調剤薬局の調剤薬局端末２を１台のみ代表して図示しているが、実際には、複数の調剤薬局が利用する複数の調剤薬局端末２がネットワークＮＷで繋がっている。
なお、調剤薬局端末２は、ファクシミリ端末でもよい。多くの調剤薬局がファクシミリ端末を装備しているため、より容易に調剤薬局情報提供装置１と剤薬局端末２との間でデータの送受信が行われることが可能となる。
調剤薬局端末２は、通信処理部２０１と表示部２０２から構成される。
【００３４】
通信処理部２０１は、ネットワークＮＷを介して、調剤薬局情報提供装置１との間でデータの送受信を実行する機能部である。
【００３５】
表示部２０２は、液晶またはＥＬディスプレイ（Ｅｌｅｃｔｒｏ  Ｌｕｍｉｎｅｓｃｅｎｔ  Ｄｉｓｐｌａｙ）などで構成され、調剤薬局情報提供装置１に送信する調剤薬局情報などを表示する。
【００３６】
携帯端末３は、患者が利用する端末であって、例えば、携帯電話機、ＰＤＡ（Ｐｅｒｓｏｎａｌ  Ｄｉｇｉｔａｌ  Ａｓｓｉｓｔａｎｃｅ）、ＰＨＳ（Ｐｅｒｓｏｎａｌ  Ｈａｎｄｙｐｈｏｎｅ  Ｓｙｓｔｅｍ）などから構成される。
携帯端末３は、通信処理部３０１、表示部３０２、読み取り部３０３および現在地特定部３０４なる機能部を有する。
なお、携帯端末３は、携帯電話機などを自力で操作することが困難な患者を考慮し、各医療機関に設置されたコンピュータ端末が代替してもよい。
【００３７】
通信処理部３０１は、ネットワークＮＷを介して、調剤薬局情報提供装置１との間で、データの送受信を実行する機能部である。
【００３８】
表示部３０２は、液晶またはＥＬディスプレイ（Ｅｌｅｃｔｒｏ  Ｌｕｍｉｎｅｓｃｅｎｔ  Ｄｉｓｐｌａｙ）などで構成され、調剤薬局情報提供装置１に送信する処方箋情報などを表示する。
また、表示部３０２は、処方箋情報に係る処方箋を在庫として有している調剤薬局に係る情報を、患者の現在地から目的地までの道のりを示すルートと共に表示する。
【００３９】
読み取り部３０３は、患者が、処方箋に付された処方箋情報をコード化したＱＲコード（登録商標）などの２次元コードや、バーコードなどを読み取る機能部である。
読み取り部３０３は、ＣＣＤカメラなどの撮影手段、コード化された情報をデコードするデコード手段などから構成される。読み取り部３０３によって、コード化された処方箋情報を取得できる。
なお、処方箋に付された処方箋情報は、バーコードなどではなく、ＩＣタグとして付されていてもよい。その場合、携帯端末３には、ＩＣタグに付された情報を取得する手段を設ける。
なお、携帯端末３が各医療機関に設置されたコンピュータ端末が代替する場合、読み取り部３０３は、処方箋を直接スキャナで読み込み、ＯＣＲ判読を行ってもよい。これにより、携帯電話機などを自力で操作することが困難な患者の代わりに、各医療機関から直接、調剤薬局情報提供装置１に処方箋情報が送信されることが可能となる。
【００４０】
現在地特定部３０４は、既知のグローバル・ポジショニング・システム（ＧＰＳ：  Ｇｌｏｂａｌ  Ｐｏｓｉｔｉｏｎｉｎｇ  Ｓｙｓｔｅｍ）によって実現される。この現在地特定部３０４により、携帯端末３を所持する患者の現在地情報を取得することができる。
【００４１】
次に、本実施形態に係る調剤薬局情報提供装置１が実行する、携帯端末３への情報提供の一連の流れについて図６を参照して説明する。
【００４２】
まず、患者は、携帯端末３の読み取り部３０３により、処方箋に付されたＱＲコードなどの処方箋情報を読み取る。同時に、携帯端末３から、現在地特定部３０４によって取得された現在地情報および、患者が入力した目的地情報が送信される。（Ｓ７０１）
また、携帯端末３から送信された処方箋情報は、患者情報記憶部１０２に記憶され、蓄積される（Ｓ７０２）。
なお、目的地情報は、調剤薬局情報提供装置１に予め登録しておくようにしてもよい。
【００４３】
その後、調剤薬局情報提供装置１では、ルート検索部１０４が、地図情報記憶部１０３を参照し、患者の現在地から、患者の希望する目的地までのルートを検索する。（Ｓ７０３）
なお、基本的には、このルート検索は、最短距離にて検索されるが、ルート検索部１０４は、幹線道路に沿ったコースなど、複数のルートを抽出してもよい。
【００４４】
調剤薬局特定部１０５は、ルート検索部１０４が検索したルート上に位置する調剤薬局を、調剤薬局情報記憶部１０７に記憶された、各調剤薬局の位置情報に基づいて、特定する。（Ｓ７０４）
【００４５】
これにより、患者の現在地から目的地までのルートに、いずれの調剤薬局が存在するかを把握することができる。
【００４６】
次に、情報処理部１０６は、調剤薬局情報記憶部１０７に記憶された医薬品の在庫情報に基づいて、上記抽出されたルート上に位置する調剤薬局のうち、処方箋情報に係る医薬品の在庫を有している調剤薬局を特定する。（Ｓ７０５）
【００４７】
上記抽出されたルート上に位置する調剤薬局のうち、処方箋情報に係る医薬品を在庫として有している調剤薬局の有無を判断する。（Ｓ７０６）
【００４８】
上記抽出されたルート上に位置する調剤薬局のうち、処方箋情報に係る医薬品を在庫として有している調剤薬局が特定された場合は、医薬品情報抽出部１０８は、医薬品情報記憶部１０９を参照し、処方された医薬品に関する情報を抽出する。（Ｓ７０７）
【００４９】
その後、通信処置部１０１は、抽出したルート上に位置する調剤薬局のうち、処方箋情報に係る医薬品を在庫として有する調剤薬局に係る情報、および上記処方された医薬品に関する医薬品情報を、携帯端末３に送信する。（Ｓ７０８）
なお、併せて、調剤薬局に係る情報である、調剤薬局の名称、住所、電話番号なども送信されてもよい。
【００５０】
次に、図８を参照し、ルート上に位置し、在庫を有する調剤薬局情報として、携帯端末３に表示される処理結果の表示例を説明する。
表示部３０２により、現在地および目的地を結ぶルートが地図上に明示されている。
このルート上に位置し、患者の処方箋情報に係る医薬品の在庫を有する調剤薬局には星印９００、９０１、９０２が付されている。
なお、この星印９００、９０１、９０２は、星印に限定されず、例えば、図形、マーク、文字でもよい。また、色が付いてもよい。
【００５１】
なお、この処理結果は、地図情報記憶部１０３からルート周辺地図を抽出した上、調剤薬局情報記憶部１０７に記憶されている調剤薬局に係る位置情報に基づき、調剤薬局の位置を反映させることで生成される。
【００５２】
上記抽出されたルート上に位置する調剤薬局のうち、処方箋情報に係る医薬品を在庫として有している調剤薬局が存在しない場合は、エラーメッセージが携帯端末３に送信される。（Ｓ７０９）
ここでいうエラーメッセージとは、ルート上に、処方箋に係る医薬品の在庫を有する調剤薬局が存在しないことが分かるメッセージである。
なお、この場合、患者は、携帯端末３を介して宅配設定を行い、自宅などの希望の場所へ在庫のなかった医薬品の宅配を依頼できるようにしてもよい。
【００５３】
次に、調剤薬局情報提供装置１に記憶されている、各調剤薬局の医薬品の在庫情報を更新する処理の流れについて、図７を参照して説明する。
【００５４】
まず、在庫に変化のあった調剤薬局は、調剤薬局端末２を介して、医薬品在庫情報を調剤薬局情報提供装置１に送信する。（Ｓ８０１）
なお、医薬品在庫情報の調剤薬局情報提供装置１への送信は、在庫に変化があった際に送信するようにしてもよく、ある一定のタイミングで定期的に行われてもよい。
送信される在庫情報は、変化分であっても、数量全てであってもいずれでもよい。
【００５５】
引き続き、通信処理部１０１が、調剤薬局端末２から送信された医薬品在庫情報を受信する。（Ｓ８０２）
【００５６】
医薬品在庫情報更新部１１０が、通信処理部１０１にて受信した医薬品在庫情報を調剤薬局情報記憶部１０７に登録し、医薬品在庫情報を更新する。（Ｓ８０３）
その結果、情報処理部１０６は、処方箋情報に係る医薬品を有する調剤薬局の特定を、より正確に行うことができる。
【符号の説明】
【００５７】
１      調剤薬局情報提供装置                     ２      調剤薬局端末
３      携帯端末                                          １０１  通信処理部
１０２  患者情報記憶部                                １０３  地図情報記憶部
１０４  ルート検索部                                   １０５  調剤薬局特定部
１０６  情報処理部                                       １０７  調剤薬局情報記憶部
１０８  医薬品情報抽出部                            １０９  医薬品情報記憶部
１１０  医薬品在庫情報更新部                     ２０１  通信処理部
２０２  表示部                                              ３０１  通信処理部
３０２  表示部                                              ３０３  読み取り部
３０４  現在地特定部
【図１】
2013003996.tif 000003
【図２】
2013003996.tif 000004
【図３】
2013003996.tif 000005
【図４】
2013003996.tif 000006
【図５】
2013003996.tif 000007
【図６】
2013003996.tif 000008
【図７】
2013003996.tif 000009
【図８】
2013003996.tif 000010
【手続補正書】
【提出日】平成23年9月2日(2011.9.2)
【手続補正１】
【補正対象書類名】特許請求の範囲
【補正対象項目名】全文
【補正方法】変更
【補正の内容】
【特許請求の範囲】
【請求項１】
処方箋情報がコード化されたニ次元コード付の処方箋を受け取る患者が利用し、現在地取得手段と、ニ次元コードの読取手段とを有する携帯端末と、ネットワークを介して通信可能に構成され、
上記患者に対し、上記処方箋によって処方される医薬品の在庫を有する調剤薬局に係る情報を提供する装置であって、
地図情報を記憶している地図情報記憶手段と、
調剤薬局情報ごとの調剤薬局の位置情報と、医薬品在庫情報を記憶する調剤薬局情報記憶手段と、
処方される医薬品の服薬指導解説情報を含む医薬品情報を記憶する医薬品情報記憶手段と、
上記携帯端末から、上記ニ次元コードから読み取られた処方箋情報と、上記現在地取得手段により取得された上記患者の現在地情報と、上記患者の目的地情報とを受信する処方箋情報受信手段と、
上記地図情報記憶手段を参照し、上記患者の現在地および目的地間のルート検索を行うルート検索手段と、
上記調剤薬局情報記憶手段を参照して、上記検索されたルート上に位置する調剤薬局を特定する調剤薬局特定手段と、
上記処方箋情報に基づき、上記調剤薬局情報記憶手段を参照して、上記特定された調剤薬局のうち、上記処方箋情報に係る処方箋を在庫として有する調剤薬局を特定する情報処理手段と、
上記処方箋情報に基づき、上記医薬品情報記憶手段を参照して、処方された医薬品に係る医薬品情報を抽出する医薬品情報抽出手段と、
上記携帯端末に対し、上記抽出された医薬品情報と共に、上記情報処理手段によって特定された調剤薬局を、上記地図上にルートと共に示した処理結果を上記携帯端末に送信する処理結果送信手段と、を有する、
ことを特徴とする調剤薬局情報提供装置。
【請求項２】
医薬品を提供する調剤薬局が利用する調剤薬局端末と更に、ネットワークを介して通信可能に構成され、
上記調剤薬局端末から上記医薬品在庫情報を受信する医薬品在庫情報受信手段と、
上記受信した医薬品在庫情報を上記調剤薬局情報記憶手段に登録し、上記医薬品在庫情報を更新する医薬品在庫情報更新手段とを、更に有する、
ことを特徴とする請求項１記載の調剤薬局情報提供装置。
【請求項３】
上記ルート検索手段は更に、複数のルートを検索し、
上記調剤薬局特定手段は、各ルート毎に調剤薬局を特定し、
上記携帯端末に対し、上記情報処理手段によってルート毎に特定された調剤薬局を、上記地図上に上記複数のルートと共に示した処理結果を上記携帯端末に送信する、
ことを特徴とする請求項１又は２記載の調剤薬局情報提供装置。
【請求項４】
処方箋情報がコード化されたニ次元コード付の処方箋を受け取る患者が利用し、現在地取得手段と、ニ次元コードの読取手段とを有する携帯端末と、ネットワークを介して通信可能に構成され、
上記患者に対し、上記処方箋によって処方される医薬品の在庫を有する調剤薬局に係る情報を提供する方法であって、
地図情報を記憶している地図情報記憶手段と、
調剤薬局情報ごとの調剤薬局の位置情報と、医薬品在庫情報を記憶する調剤薬局情報記憶手段と、
処方される医薬品の服薬指導解説情報を含む医薬品情報を記憶する医薬品情報記憶手段と、を有するコンピュータにより、
上記携帯端末から、上記ニ次元コードから読み取られた処方箋情報と、上記取得された上記患者の現在地情報と、上記患者の目的地情報とを受信する処方箋情報受信処理と、
上記地図情報記憶処理を参照し、上記患者の現在地および目的地間のルート検索を行うルート検索処理と、
上記調剤薬局情報記憶手段を参照して、上記検索されたルート上に位置する調剤薬局を特定する調剤薬局特定処理と、
上記処方箋情報に基づき、上記調剤薬局情報記憶手段を参照して、上記特定された調剤薬局のうち、上記処方箋情報に係る処方箋を在庫として有する調剤薬局を特定する情報処理と、
上記処方箋情報に基づき、上記医薬品情報記憶手段を参照して、処方された医薬品に係る医薬品情報を抽出する医薬品情報抽出処理と、
上記携帯端末に対し、上記抽出された医薬品情報と共に、上記特定された調剤薬局を、上記地図上にルートと共に示した処理結果を上記携帯端末に送信する処理結果送信処理と、を実行する、
ことを特徴とする調剤薬局情報提供方法。
【請求項５】
処方箋情報がコード化されたニ次元コード付の処方箋を受け取る患者が利用し、現在地取得手段と、ニ次元コードの読取手段とを有する携帯端末と、ネットワークを介して通信可能に構成され、
地図情報を記憶している地図情報記憶手段と、
調剤薬局情報ごとの調剤薬局の位置情報と、医薬品在庫情報を記憶する調剤薬局情報記憶手段と、
処方される医薬品の服薬指導解説情報を含む医薬品情報を記憶する医薬品情報記憶手段と、を有するコンピュータを、
上記患者に対し、上記処方箋によって処方される医薬品の在庫を有する調剤薬局に係る情報を提供する調剤薬局情報提供装置として機能させるためのコンピュータプログラムであって、上記コンピュータに対し、
上記携帯端末から、上記ニ次元コードから読み取られた処方箋情報と、上記取得された上記患者の現在地情報と、上記患者の目的地情報とを受信する処方箋情報受信処理と、
上記地図情報記憶手段を参照し、上記患者の現在地および目的地間のルート検索を行うルート検索処理と、
上記調剤薬局情報記憶手段を参照して、上記検索されたルート上に位置する調剤薬局を特定する調剤薬局特定処理と、
上記処方箋情報に基づき、上記調剤薬局情報記憶処理を参照して、上記特定された調剤薬局のうち、上記処方箋情報に係る処方箋を在庫として有する調剤薬局を特定する情報処理と、
上記処方箋情報に基づき、上記医薬品情報記憶手段を参照して、処方された医薬品に係る医薬品情報を抽出する医薬品情報抽出処理と、
上記携帯端末に対し、上記抽出された医薬品情報と共に、上記情報処理手段によって特定された調剤薬局を、上記地図上にルートと共に示した処理結果を上記携帯端末に送信する処理結果送信処理と、を実行させる、調剤薬局情報提供コンピュータプログラム。
【手続補正書】
【提出日】平成23年11月14日(2011.11.14)
【手続補正１】
【補正対象書類名】特許請求の範囲
【補正対象項目名】全文
【補正方法】変更
【補正の内容】
【特許請求の範囲】
【請求項１】
処方箋情報がコード化されたニ次元コード付の処方箋を受け取る患者が利用し、現在地取得手段と、ニ次元コードの読取手段とを有する携帯端末と、ネットワークを介して通信可能に構成され、
上記患者に対し、上記処方箋によって処方される医薬品の在庫を有する調剤薬局に係る情報を提供する装置であって、
地図情報を記憶している地図情報記憶手段と、
調剤薬局情報ごとの調剤薬局の位置情報と、医薬品在庫情報を記憶する調剤薬局情報記憶手段と、
処方される医薬品の服薬指導解説情報を含む医薬品情報を記憶する医薬品情報記憶手段と、
上記携帯端末から、上記ニ次元コードから読み取られた処方箋情報と、上記現在地取得手段により取得された上記患者の現在地情報と、上記患者の目的地情報とを受信する処方箋情報受信手段と、
上記地図情報記憶手段を参照し、上記患者の現在地および目的地間のルート検索を行うルート検索手段と、
上記調剤薬局情報記憶手段を参照して、上記検索されたルート上に位置する調剤薬局を特定する調剤薬局特定手段と、
上記処方箋情報に基づき、上記調剤薬局情報記憶手段を参照して、上記特定された調剤薬局のうち、上記処方箋情報に係る医薬品を在庫として有する調剤薬局の有無を判別し、ルート上に存在し、処方箋情報に係る医薬品を在庫として有する調剤薬局を特定する情報処理手段と、
上記処方箋情報に基づき、上記医薬品情報記憶手段を参照して、処方された医薬品に係る医薬品情報を抽出する医薬品情報抽出手段と、
上記携帯端末に対し、上記抽出された医薬品情報と共に、上記情報処理手段によって特定された調剤薬局を、上記地図上にルートと共に示した処理結果を上記携帯端末に送信し、一方、上記情報処理手段により、ルート上に処方箋情報に係る医薬品を在庫として有している調剤薬局が存在しないと判断された場合は、別の設定を促すエラーメッセージを上記患者の携帯端末に送信する処理結果送信手段と、を有する、
ことを特徴とする調剤薬局情報提供装置。
【請求項２】
医薬品を提供する調剤薬局が利用する調剤薬局端末と更に、ネットワークを介して通信可能に構成され、
上記調剤薬局端末から上記医薬品在庫情報を受信する医薬品在庫情報受信手段と、
上記受信した医薬品在庫情報を上記調剤薬局情報記憶手段に登録し、上記医薬品在庫情報を更新する医薬品在庫情報更新手段とを、更に有する、
ことを特徴とする請求項１記載の調剤薬局情報提供装置。
【請求項３】
上記ルート検索手段は更に、複数のルートを検索し、
上記調剤薬局特定手段は、各ルート毎に調剤薬局を特定し、
上記携帯端末に対し、上記情報処理手段によってルート毎に特定された調剤薬局を、上記地図上に上記複数のルートと共に示した処理結果を上記携帯端末に送信する、
ことを特徴とする請求項１又は２記載の調剤薬局情報提供装置。
【請求項４】
処方箋情報がコード化されたニ次元コード付の処方箋を受け取る患者が利用し、現在地取得手段と、ニ次元コードの読取手段とを有する携帯端末と、ネットワークを介して通信可能に構成され、
上記患者に対し、上記処方箋によって処方される医薬品の在庫を有する調剤薬局に係る情報を提供する方法であって、
地図情報を記憶している地図情報記憶手段と、
調剤薬局情報ごとの調剤薬局の位置情報と、医薬品在庫情報を記憶する調剤薬局情報記憶手段と、
処方される医薬品の服薬指導解説情報を含む医薬品情報を記憶する医薬品情報記憶手段と、を有するコンピュータにより、
上記携帯端末から、上記ニ次元コードから読み取られた処方箋情報と、上記取得された上記患者の現在地情報と、上記患者の目的地情報とを受信する処方箋情報受信処理と、
上記地図情報記憶処理を参照し、上記患者の現在地および目的地間のルート検索を行うルート検索処理と、
上記調剤薬局情報記憶手段を参照して、上記検索されたルート上に位置する調剤薬局を特定する調剤薬局特定処理と、
上記処方箋情報に基づき、上記調剤薬局情報記憶手段を参照して、上記特定された調剤薬局のうち、上記処方箋情報に係る医薬品を在庫として有する調剤薬局の有無を判別し、ルート上に存在し、上記処方箋情報に係る医薬品を在庫として有する調剤薬局を特定する情報処理と、
上記処方箋情報に基づき、上記医薬品情報記憶手段を参照して、処方された医薬品に係る医薬品情報を抽出する医薬品情報抽出処理と、
上記携帯端末に対し、上記抽出された医薬品情報と共に、上記情報処理手段によって特定された調剤薬局を、上記地図上にルートと共に示した処理結果を上記携帯端末に送信し、一方、上記情報処理手段により、ルート上に処方箋情報に係る医薬品を在庫として有している調剤薬局が存在しないと判断された場合は、別の設定を促すエラーメッセージを上記患者の携帯端末に送信する送信処理と、を実行する、
ことを特徴とする調剤薬局情報提供方法。
【請求項５】
処方箋情報がコード化されたニ次元コード付の処方箋を受け取る患者が利用し、現在地取得手段と、ニ次元コードの読取手段とを有する携帯端末と、ネットワークを介して通信可能に構成され、
地図情報を記憶している地図情報記憶手段と、
調剤薬局情報ごとの調剤薬局の位置情報と、医薬品在庫情報を記憶する調剤薬局情報記憶手段と、
処方される医薬品の服薬指導解説情報を含む医薬品情報を記憶する医薬品情報記憶手段と、を有するコンピュータを、
上記患者に対し、上記処方箋によって処方される医薬品の在庫を有する調剤薬局に係る情報を提供する調剤薬局情報提供装置として機能させるためのコンピュータプログラムであって、上記コンピュータに対し、
上記携帯端末から、上記ニ次元コードから読み取られた処方箋情報と、上記取得された上記患者の現在地情報と、上記患者の目的地情報とを受信する処方箋情報受信処理と、
上記地図情報記憶手段を参照し、上記患者の現在地および目的地間のルート検索を行うルート検索処理と、
上記調剤薬局情報記憶手段を参照して、上記検索されたルート上に位置する調剤薬局を特定する調剤薬局特定処理と、
上記処方箋情報に基づき、上記調剤薬局情報記憶処理を参照して、上記特定された調剤薬局のうち、上記処方箋情報に係る医薬品を在庫として有する調剤薬局の有無を判別し、ルート上に存在し、上記処方箋情報に係る医薬品を在庫として有する調剤薬局を特定する情報処理と、
上記処方箋情報に基づき、上記医薬品情報記憶手段を参照して、処方された医薬品に係る医薬品情報を抽出する医薬品情報抽出処理と、
上記携帯端末に対し、上記抽出された医薬品情報と共に、上記情報処理手段によって特定された調剤薬局を、上記地図上にルートと共に示した処理結果を上記携帯端末に送信し、一方、上記情報処理手段により、ルート上に処方箋情報に係る医薬品を在庫として有している調剤薬局が存在しないと判断された場合は、別の設定を促すエラーメッセージを上記患者の携帯端末に送信する送信処理と、を実行させる、調剤薬局情報提供コンピュータプログラム。